(57)【要約】【課題】ワイヤレスＩＦを備えた携帯電子機器から印刷装置のモード設定や制御を行う。【解決手段】外部装置よりＨＴＭＬ文書を受信する手段を持った印刷装置において、受信したＨＴＭＬ文書内にある特定の情報が含まれていた場合、前記特定の情報に従って印刷装置の設定を行う、もしくは動作を行う。【選択図】　　　　図１
2004058341.tif 000002
【特許請求の範囲】
【請求項１】
用紙サイズ、用紙の種類、印刷方向、印刷品位等の印刷装置の印刷モードの設定を記憶する手段と、外部装置とデータの送受信を行うワイヤレスインターフェースと、前記ワイヤレスインターフェースを介して外部装置よりハイパーメディア文書ファイルを受信する機能と、前記ハイパーメディア文書ファイルの記述に応じた処理を行う手段を有する印刷装置において、前記ハイパーメディア文書ファイルの記述に、ある特定の情報が含まれていた場合、前記ある特定の情報に従って印刷装置の前記印刷モードの設定を行うことを特徴とする印刷装置。
【請求項２】
外部装置とデータの送受信を行うワイヤレスインターフェースと、前記ワイヤレスインターフェースを介して外部装置よりハイパーメディア文書ファイルを受信する機能と、前記ハイパーメディア文書ファイルの記述に応じた処理を行う手段を有する印刷装置において、前記ハイパーメディア文書ファイルの記述に、ある特定の情報が含まれていた場合、前記ある特定の情報に従って印刷装置を動作させることを特徴とする印刷装置。
【請求項３】
外部装置とデータの送受信を行うワイヤレスインターフェースと、前記ワイヤレスインターフェースを介して外部装置よりハイパーメディア文書ファイルを受信する機能と、前記ハイパーメディア文書ファイルの記述に応じた処理を行う手段を有する印刷装置において、前記ハイパーメディア文書ファイルの記述に、ある特定の情報が含まれていた場合、前記ハイパーメディア文書ファイルの印刷は行わないことを特徴とする請求項１又は２に記載の印刷装置。
【請求項４】
前記外部装置として、インターネットに接続する機能と、ハイパーメディア文書ファイルをインターネット上からダウンロードする機能と、周辺機器とデータを送受信できるワイヤレスインターフェースと、前記ダウンロードしたハイパーメディア文書ファイルを前記ワイヤレスインターフェースを介して周辺機器に送信する機能を持った携帯電子機器装置とすることを特徴とする請求項１、２又は３に記載の印刷装置。
【発明の詳細な説明】
【０００１】
【発明の属する技術分野】
本発明は、印刷装置に関し、特にワイヤレスインターフェースを介して携帯電子機器装置から印刷装置の制御を行う方法に関する。
【０００２】
【従来の技術】
一般に印刷装置は、ホストコンピュータに接続されて操作されるため、印刷装置の設定（用紙のサイズ、用紙の種類、印刷方向、印刷品位等）は、ユーザによってホストコンピュータ上で設定された後、印刷開始を実行することで、印刷装置にコマンドとしてホストコンピュータから送られ、印刷装置側はコマンドを解釈して指定されたモードが選択されるようになっている。そのため、主にホストコンピュータに接続される印刷装置では用紙サイズ、用紙の種類、印刷モード等を設定するパネル操作が不要となり、最近では電源スイッチしかキーのない印刷装置も存在する。
【０００３】
一方、主にホストコンピュータに接続して使用しない印刷装置、すなわちデジタルカメラやデジタルカメラのメモリカードからホストコンピュータを介さず直接印刷できる印刷装置においては、印刷装置の設定（用紙のサイズ、用紙の種類、印刷方向、印刷品位等）が必要となるので印刷装置のパネルに液晶画面や各種設定キーを設けられている。
【０００４】
また、近年インターネットの広がりとともに、インターネットに接続できる携帯端末装置が多種発売されるようになってきた。
【０００５】
なかでも、周辺装置とのデータ授受にワイヤレスインターフェースをも装備したインターネット接続携帯端末では、インターネットからダウンロードしたホームページや電子メール等の情報をホストコンピュータを介さずに直接ワイヤレスインターフェースによって印刷装置に前記情報を送れる機能を持った機種も出てきた。
【０００６】
しかしながら、上記のような携帯端末装置には、ホストコンピュータのようにメーカ毎に異なる印刷装置の各種設定や印刷を行えるようなプリンタドライバソフトを搭載していないのが一般であるので、携帯端末装置からの印刷を所望の形に仕上げるには、やはり印刷装置側に操作パネルが必要となってくる。
【０００７】
【発明が解決しようとする課題】
上記のような背景から、印刷装置側もホストコンピュータだけでなく、デジタルカメラや上記携帯端末装置とも接続しようとすれば、従来ホストコンピュータとの接続では必要なかった操作パネルが必要となり、操作性も煩雑になり、コストもその分上昇する。
【０００８】
特に印刷装置側で操作パネルによって印刷モードの設定や特定動作（記録ヘッドのクリーニングやテストプリント等）を行おうとすれば、操作パネル上のキー、ＬＥＤ、ブザー等を組み合わせて行うため、ユーザの誤操作も多かった。
【０００９】
そこで、本発明の目的は、周辺装置とのデータ授受にワイヤレスインターフェースを装備したインターネット接続携帯端末を使用し、その基本機能だけで印刷装置側の各種設定や動作を可能とする煩雑な操作パネルを必要としない印刷装置を提供することである。
【００１０】
【課題を解決するための手段】
上記の目的を達成するための本発明の印刷装置には、用紙サイズ、用紙の種類、印刷方向、印刷品位等の印刷装置の印刷モードの設定を記憶する手段と、外部装置とデータの送受信を行うワイヤレスインターフェースと、前記ワイヤレスインターフェースを介して外部装置よりハイパーメディア文書ファイルを受信する機能と、前記ハイパーメディア文書ファイルの記述に応じた処理を行う手段を有する印刷装置において、前記ハイパーメディア文書ファイルの記述に、ある特定の情報が含まれていた場合、前記ある特定の情報に従って印刷装置の前記印刷モードの設定を行う手段を有するものである。
【００１１】
また、ある場合には、前記ある特定の情報に従って印刷装置を動作させる手段を有するものである。
【００１２】
一方、前記外部装置として、インターネットに接続する機能と、ハイパーメディア文書ファイルをインターネット上からダウンロードする機能と、周辺機器とデータを送受信できるワイヤレスインターフェースと、前記ダウンロードしたハイパーメディア文書ファイルを前記ワイヤレスインターフェースを介して周辺機器に送信する機能を持った携帯電子機器装置とするものである。
【００１３】
【発明の実施の形態】
次に、本発明について図面を参照して説明する。
【００１４】
図４は、本印刷装置の構成例を示すブロック図である。
【００１５】
２３１はマイクロプロセッサユニット、２３２は、記録装置の制御や後述する本発明のプログラムを格納したＲＯＭ、２３３は、プログラム実行時にワークエリアとして用いられたり、印刷モードを記憶しておくためのＲＡＭである。マイクロプロセッサ２３１は、ペーパエンドセンサ２４０，キャリッジホームセンサ２４３，回復系センサ２３７のセンサで記録用紙の有無，キャリッジの位置，回復系ユニットの状態を確認しながら、搬送モータドライバ２３８，キャリッジモータドライバ２４１，回復系モータドライバ２３７に駆動パルスを与え、搬送モータ２３９，キャリッジモータ２４２，回復系モータ２３７を制御する。不図示のホストコンピュータや携帯電子機器からは印刷するファイルや印刷のための命令や印刷データがワイヤレスインタフェース２０４を介してマイクロプロセッサ２３１に送られる。１４は記録ヘッドで、印刷データをプリンタマイコン２３１によって制御され記録する。
【００１６】
図１は、インターネットに接続可能で、かつ周辺機器に対してはワイヤレスインターフェースでデータを授受できる機能を持った携帯電話である。表示部には、所望する設定情報が表示されている。この表示画面は、この携帯電話のユーザが携帯電話をインターネットに接続し、設定したい印刷装置のメーカサイトから、そのメーカサイトのサービスで、例えばどの設定項目が必要であるか、またはどう設定したいかを質問形式で入力した結果、得られるホームページである。
【００１７】
本例は、用紙サイズ、印刷品位、印刷方向の設定をユーザが所望し、それぞれに葉書、写真、横書きのモードを設定するよう前記メーカサイトに要求して得られたホームページ、すなわちＨＴＭＬ形式で記述されたハイパーメディア文書である。このホームページは、一般にＨＴＭＬ形式で記述されるハイパーメディア文書である。ただし、この記述の中には、前記ユーザの所望する設定情報が、印刷装置側が認識できる形式で含まれている。この印刷装置側が認識できる特殊情報は、ユーザの表示部では表示されない形式で記述されている。
【００１８】
この特殊情報は、本例ではＨＴＭＬファイルのコメントを記述するためのタグの中に前記特殊情報を埋め込んである。その記述例を図２に示す。図中Ａ２０１の行がＨＴＭＬ形式のコメントタグ＜！‐‐・・・−−＞の中に特殊情報を実装した例である。印刷装置は、Ａ２０１行のｐｒｉｎｔｅｒｓｅｔを検出すると、本ＨＴＭＬファイルは、設定用のファイルであることを認識するようにアルゴリズムされており、以降に続くｐａｐｅｒ＝ｃａｒｄで用紙を葉書サイズ、ｑｕａｌｉｔｙ＝ｐｈｏｔｏで印字品位を写真モード、ｄｉｒｅｃｔｉｏｎ＝ｌａｎｄｓｃａｐｅで用紙方向をランドスケープに設定するようになっている。
【００１９】
特殊情報を埋め込む他の例としてはＨＥＡＤ要素のメタ情報部に本印刷装置用の設定情報用ハイパーメディア文書であることを記述し、あとはＢＯＤＹ要素の情報を設定情報として印刷装置に解釈させる手段もある。また、設定情報を持つハイパーメディア文書中にユーザの入力項目を含む文書構造にして（例えば前記用紙の設定では、葉書だけでなくＡ４、Ａ６等を選べる構造）、変更があるたびにファイル内のコメントタグ内を書き換える構造を持つ手段もある。
【００２０】
次に、図３のフローチャートを参照して印刷装置側の処理を説明する。
【００２１】
まず、ステップＳ０１で、これからワイヤレスインターフェースを介して入力されるデータのタイプが、本印刷装置専用の印刷データ（ホストコンピュータの本印刷装置専用の印刷ドライバから出力される印刷データ）か、ファイルデータかを識別する。この識別には、ワイヤレスインターフェースのデータ送受信プロトコルにどのプロトコルが使用されているかによって判別される。一般にファイルの送受信には、ＯＢＥＸプロトコルが使用される場合が多く、前記プロトコルによれば、送られるファイルの種類も判別されるようになっている。
【００２２】
前記識別手段によって、データタイプが本印刷装置専用の印刷データであれば、ステップＳ０１によって通常の印刷処理が行われる。また、ファイルデータであれば、ステップＳ０２で本印刷装置内のメモリ上にファイルデータを受信し格納する。次に、ステップＳ０３でファイルの種類の判別を行い、ＨＴＭＬ文書でなければステップＳ０４で、ファイルの形式に合った印刷処理を行う。ファイルの形式に合った印刷処理とは、例えば受信したファイルがテキストファイル形式であれば、テキストファイル内の文字コードからフォントを取り出し、ビットマップイメージに展開し印刷する。また受信したファイルがＪＰＥＧファイル形式であれば、ＪＥＰＧデータをＲＧＢデータに変換し、さらにはＣＭＹＫ変換、２値化処理を行い印刷する。
【００２３】
また、ステップＳ０３でＨＴＭＬファイルと識別されれば、ステップＳ０５へ進み、ＨＴＭＬファイル内からコメントタグを検索し、コメントタグが存在すれば、ステップＳ０６に進む。ステップＳ０６では、前記コメントタグ内に本印刷装置に対する特定の設定情報が存在するか調べ、存在すればステップＳ０７進み、設定情報を解析し、印刷モードを記憶する。また、ステップＳ０５でコメントタグがない場合と、ステップＳ０６でコメントタグが存在しても前記特定の設定情報が存在しない場合は、前記ＨＴＭＬファイルは通常のＨＴＭＬファイルなので、ステップＳ０８でＨＴＭＬ記述に応じた処理を行い印刷データを作成し印刷する。
【００２４】
第二の実施例として、ＨＴＭＬファイルに記述された特定の情報によって印刷装置を動作させる場合を説明する。印刷装置の動作例として電源ＯＦＦを考える。ＨＴＭＬファイルには、携帯電話の表示機には「電源ＯＦＦ」の文字が表示されるように記述され、特定の情報としてコメントタグ内に本印刷装置が認識できる電源ＯＦＦコマンドを記述しておく。以上の記述がなされたＨＴＭＬファイルを携帯電話から印刷装置に送信した場合の印刷装置の処理は図３のフローチャートを参考にすれば、ステップＳ０７の処理を、特定情報を解析し印刷モードを記憶する変わりに電源ＯＦＦの処理を行うよう変更するだけでよい。
【００２５】
本例では電源ＯＦＦの場合を、想定したがこれは記録ヘッドのメンテナンスであるクリーニング動作であってもよいし、印刷装置自体のテストプリントであってもよく、印刷装置の動作に対するコマンドをＨＴＭＬファイル内に特定情報として記述して置くだけで、印刷装置を携帯電話からリモート制御可能となる。
【００２６】
【発明の効果】
本発明によると、携帯電子機器の表示器で所望の印刷装置の設定を確認しながら、印刷装置の設定を行うことが可能となったので、操作パネルによる煩雑な操作が不要となるとともに誤操作もなくなる。特に周辺装置とのデータ授受にワイヤレスインターフェースを装備したインターネット接続携帯端末側においては、表示しているハイパーメディア文書を周辺装置に転送するという基本機能だけで、印刷装置をリモート制御できるようになる。
【００２７】
また、印刷装置側の操作パネルも必要最低限の簡易的なもので済むのでコスト的にも有利になる。
【図面の簡単な説明】
【図１】印刷装置をリモート制御する携帯電話の表示機上に設定項目を表示した例
【図２】特殊情報を埋め込んだハイパーメディア文書の例
【図３】印刷装置側の本発明処理のフローチャート
【図４】本印刷装置の構成例を示すブロック図
【符号の説明】
２３１　マイクロプロセッサユニット
２３２　ＲＯＭ
２３３　ＲＡＭ
２４０　ペーパエンドセンサ
２４１　キャリッジモータドライバ
２４２　キャリッジモータ
２４３　キャリッジホームセンサ
【図１】
2004058341.tif 000003
【図２】
2004058341.tif 000004
【図３】
2004058341.tif 000005
【図４】
2004058341.tif 000006